(57)【要約】本発明は、乾燥粉末用の呼吸方式により制御される吸入器であり、吸入器が空気案内ユニットとしての、一体に形成された円筒状基体（１）のマガジン体から成り、この場合、各円筒状基体（１）に、同方向に整向されていてかつ移送状態では各々基幹閉鎖部により封隙されている空気流入口（２）と吸入開口（３）とが設けられており、そして円筒状基体（１）が基準破断位置（８と９）を介して間接的かあるいは直接的に互いに連結されており、かつこの円筒状基体（１）が目的に合った量の乾燥粉末で充填されていることを特徴とする乾燥粉末用の呼吸方式により制御される吸入器である。
2005511159.tif 000002
【特許請求の範囲】
【請求項１】
基本的に円筒状基体から成る空気案内ユニットを備え、この場合前記空気案内ユニットが狭隘部と各々後に続く拡大部とを交互に備えた流動路を有しており、かつ前記狭隘部と拡大部が、連続的に互いの中へ移行し、そして空気案内ユニットを流過する空気のための流動路が、三次元的に蛇行した形状で形成されている様式の乾燥粉末用の呼吸方式により制御される吸入器において、
吸入器が空気案内ユニットとしての、一体に形成された円筒状基体（１）のマガジン体から成り、この場合、各円筒状基体（１）に、同方向に整向されていてかつ移送状態では各々基幹閉鎖部（５ａと５ｂ）により封隙されている空気流入口（２）と吸入開口（３）とが設けられており、そして円筒状基体（１）が基準破断位置（８と９）を介して間接的かあるいは直接的に互いに連結されており、かつこの円筒状基体（１）が目的に合った量の乾燥粉末で充填されていることを特徴とする吸入器。
【請求項２】
基幹閉鎖部（５ａと５ｂ）が、空気流入口（２）および吸入開口（３）と、基準破断位置（７ａと７ｂ）を介して連結されていることを特徴とする請求項１記載の吸入器。
【請求項３】
基幹閉鎖部（５ａと５ｂ）が、各々一つの平坦で幾何学的なグリップ部分（４ａと４ｂ）と固く連結されていることを特徴とする請求項１または２に記載の吸入器。
【請求項４】
グリップ部分（４ａと４ｂ）が、マガジン体の対称面内に設けられていることを特徴とする請求項１〜３のいずれか一つに記載の吸入器。
【請求項５】
空気流入口（２）が、その空気流入口（２）の輪郭線に対応するグリップ部分（４ｂ）の凹部内にあって、このグリップ部分（４ｂ）と基準破断位置（６ｂ）を介して連結されており、その上さらに、連結部がグリップ部分と円筒状基体間において基準破断位置（１１）の様式から成ることを特徴とする請求項１〜４のいずれか一つに記載の吸入器。
【請求項６】
吸入開口（３）が、その吸入開口（３）の輪郭線に対応するグリップ部分（４ａ）の凹所内にあって、グリップ部分（４ａ）と基準破断位置（６ａ）を介して連結されており、その上さらに、連結部がグリップ部分（４ａ）と円筒状基体（１）の間において基準破断位置（１０）の様式から成ることを特徴とする請求項１〜４のいずれか一つに記載の吸入器。
【請求項７】
円筒状基体（１）が対でマガジン体内部において設けられており，この場合円筒状基体（１）が基準破断位置（８）を介して空気流入口（２）のグリップ部分（４ｂ）の外縁部において互いに連結されていることを特徴とする請求項１〜６のいずれか一つに記載の吸入器。
【請求項８】
前記円筒状基体対が基準破断位置（９）を介して、各々空気流入口（２）のグリップ部分（４ｂ）と相対している円筒状基体（１）の外縁部において互いに連結されていることを特徴とする請求項７記載の吸入器。
【請求項９】
空気流入口（２）において、基幹閉鎖部（５ｂ）を分離するための基準破断位置（７ｂ）が、グリップ部分と円筒状基体間における基準破断位置（６ｂ）よりも強く、かつ空気流入口とグリップ部分の間における基準破断位置（１１）よりも強いことを特徴とする請求項１〜８のいずれか一つに記載の吸入器。
【請求項１０】
吸入開口（３）において、基幹閉鎖部（５ａ）を分離するための基準破断位置（７ａ）が、グリップ部分と円筒状基体間における基準破断位置（６ａ）よりも強く、かつ吸入開口とグリップ部分の間における基準破断位置（１０）よりも強いことを特徴とする請求項１〜８のいずれか一つに記載の吸入器。
【請求項１１】
グリップ部分（４ｂ）と円筒状基体（１）間の基準破断位置（１１）が、グリップ部分（８）の外縁部における基準破断位置よりも強く、かつ空気流入口（２）のグリップ部分（４ｂ）に相対している円筒状基体（１）の外縁部における基準破断位置（９）よりも強いことを特徴とする請求項１〜１０のいずれか一つに記載の吸入器。
【発明の詳細な説明】
【技術分野】
【０００１】
本発明は、基本的に円筒状基体から成る空気案内ユニットを備え、この場合前記空気案内ユニットが狭隘部と各々後に続く拡大部とを交互に備えた流動路を有しており、かつ前記狭隘部と拡大部とが、連続的に互いの中へ移行し、そして空気案内ユニットを流過する空気のための流動路が、三次元的に蛇行した形状で形成されている様式の乾燥粉末用の呼吸方式により制御される吸入器に関する。
【０００２】
穏やかな治療法として吸入をすることは、今日、とりわけ気道疾患の領域内においてか、あるいは簡単でかつ速やかに作用する医薬品を投与することに関して大きな意味を持つ。その際、例えば薬と共に使用される乾燥粉末が良質の噴霧状態で、患者の気道に供給される。さらに、吸入している間、乾燥粉末を完全かつ均一に分散させることを保証するという前提条件と並んで、特に吸入器が即座に使用でき、かつ患者にとって扱い易いことが重要である。特許文献１から、特殊な吸入ケーシング内において、流れを阻害する単純な円筒状基体の構造により、乾燥粉末を対応して分散させることができる装置が公知である。ただし、この発明の場合に使用される空気案内ユニットは、円筒状基体の形のケーシングにより囲まれており、かつ柔軟に交換することはできない。さらに、乾燥粉末は特殊な貯蔵室へ供給しなければならず、まずそこから空気案内ユニット内に達する。乾燥粉末を確実に投与することを保証し、かつ乾燥粉末が湿気を全く受け付けないことを確実にするためには、技術的に相当な費用が必要である。
【０００３】
このように医療装置を常に待機状態にしておくことは大いに意味があるので、技術的な構成を単純化することにより、故障の危険を最小限にすることを常にやってみなければならない。
【特許文献１】ドイツ国特許出願第１９９４８２８９．６号明細書
【発明の開示】
【発明が解決しようとする課題】
【０００４】
本発明の根底をなす課題は、即座の使用準備状態により瞬時のアクセスを可能にし、かつ構造上の理由から装置部材の数が減ることにより、吸入前と吸入中と吸入後の患者の操作手順を最低限にし、この際、同様に構造上の理由から故障の危険をほとんど排除する吸入器を提供することである。
【課題を解決するための手段】
【０００５】
上記の課題は、冒頭で述べた様式の呼吸方式により制御される吸入器から出発して、本発明に従い、吸入器が空気案内ユニットとしての、一体に形成された円筒状基体のマガジン体から成り、この場合、各円筒状基体に、同方向に整向されていてかつ移送状態では各々基幹閉鎖部により封隙されている空気流入口と吸入開口とが設けられており、そして円筒状基体が基準破断位置を介して間接的かあるいは直接的に互いに連結されており、かつこの円筒状基体が目的に合った量の乾燥粉末で充填されていることにより解決される。
【０００６】
本発明による記載された様式の装置を用いて、患者にとってはきわめて経済的でかつただちに使用できる、目的に合った作用剤を必要に応じて吸入できる可能性が得られ、この場合、吸入器は故障の危険にさらされることはない。なぜなら、わずかに活性剤はすでに貯蔵されかつ互いに開放されるべき空気案内ユニット内にあり、そしてさらに吸入器それ自体が上述の方法で技術的に最小化されるからである。その上さらに本発明による装置は、可動な部材がまったくなくても間に合っており、従ってコスト的にきわめて安価で組立てることができ、かつ使い捨て商品として使用することができる。さらに、これにより湿気の混入は確実に阻止される。
【０００７】
基幹閉鎖部を介して吸入器を封隙することにより、すでに空気案内ユニット内に存在する活性剤、あるいは乾燥粉末の所定の量だけは常に使用されることが保証される。
【０００８】
これらの基幹閉鎖部は、本発明の実施形態に従い、予めプレスされた基準破断位置を介して確実に取り外し可能である。
【０００９】
その上さらに本発明の実施形態では、各々の基幹閉鎖部が平坦で幾何学的なグリップ部分と固く連結されている。この場合にグリップ部分は基幹閉鎖部を取り外す際のハンドリングに役立つ。
【００１０】
その他の実施形態によれば、空気流入口と吸入開口が、それらの輪郭線に対応する各々のグリップ部分の凹部内にあって、グリップ部分と基準破断位置を介して連結されている。この場合、グリップ部分がマガジン体の対称面内に設けられており、基準破断位置は各々のグリップ部分と円筒状基体との間に設けられている。
【００１１】
これらの実施形態において、グリップ部分には、基準破断位置を介して間接的かあるいは直接的に連結された個々の円筒状基体間において幾何学的に対称的な連結装置の機能が付加的に与えられている。さらにこの機能は基幹閉鎖部の完全な状態を安定化させる。
【００１２】
前述の方法で設けられた基準破断位置により、円筒状基体をまずお互いから取り外し、引き続いて吸入開口と空気流入口をグリップ部分から完全に外すことができる。
【００１３】
本発明の別の実施形態の場合、円筒状基体が対でマガジン体内部において設けられており、この場合円筒状基体は対内部で基準破断位置を介して空気流入口のグリップ部分の外縁部において互いに連結されている。
【００１４】
さらに、前記円筒状基体対が再度基準破断位置を介して、空気流入口のグリップ部分と相対している円筒状基体の外縁部において互いに連結されている。マガジン内部において円筒状基体がこのように選択的に設けられると、特に連結のバリエーションが有利であり、このバリエーションは高い安定性により際立ち、製造工程内においては、乾燥粉末と引き続く連結工程および封隙工程により円筒状基体の充填に役立っている。別の配設のバリエーションも可能である。
【００１５】
本発明の特に有利な実施形態においては、空気流入口において、基幹閉鎖部を分離するための基準破断位置が、グリップ部分と円筒状基体間における基準破断位置よりも強く、かつ空気流入口とグリップ部分における基準破断位置よりも強い。さらに、吸入開口において、基幹閉鎖部を分離するための基準破断位置が、グリップ部分と円筒状基体間における基準破断位置よりも強く、かつ吸入開口とグリップ部分の間における基準破断位置よりも強い。
【００１６】
それにより、基幹閉鎖部が誤って開くことはない。
【００１７】
最後に、別の有利な実施形態においては、グリップ部分と円筒状基体間の基準破断位置がグリップ部分の外縁部における基準破断位置よりも強く、かつ空気流入口のグリップ部分に相対している円筒状基体の外縁部における基準破断位置よりも強い。これにより、マガジン体から個々の空気案内ユニットを取り外すことにより、グリップ部分が円筒状基体から部分的かあるいは完全に取り外される状態になること、さらに基幹閉鎖部はグリップ部分により得られるその安定性において危険にさらされることは回避される。
【発明を実施するための最良の形態】
【００１８】
本発明を実施例を用いて以下に詳しく説明する。
【実施例】
【００１９】
本発明による吸入器は、鎖を形成するように連結されている複数の円筒状基体１から成る。これらの円筒状基体１は空気案内ユニットとして構成されており、この場合前記空気案内ユニットは狭隘部と各々後に続く拡大部とを交互に備えた流動路を有しており、かつ前記狭隘部と拡大部とは、連続的に互いの中へ移行し、そして空気案内ユニットを流過する空気のための流動路が、三次元的に蛇行した形状で形成されている。円筒状基体１はこの目的のために球冠状の窪み１ａと１ｂを備えており、これらの窪みは各々円筒状基体１と相対している壁から流動路に延在している。
【００２０】
患者はマガジン体が必要な場合、医薬品と混合された乾燥粉末に予め割り当てられた量の医薬品かあるいは乾燥粉末の形の医薬品を備えた個々の空気案内ユニットを取り出すことができる。円筒状基体１の形の個々の空気案内ユニットは、直接的かあるいは平坦なグリップ部分４ｂを介して、予めプレスで作られた基準破断位置８と９により間接的に互いに連結されており、従って所望の空気案内ユニットはマガジン体から破り取ることができる。
【００２１】
その際、本吸入器の輸送に必要な強度に関して、円筒状基体１はマガジン体内部で対で設けられているように配置されることがわかっており、この場合、円筒状基体１は対内部で空気流入口２のグリップ部分４ｂの外縁部で互いに連結されている。これらの対は、これら対の側で再度、基準破断位置９を介して、各々空気流入口２のグリップ部分４ｂと相対している円筒状基体１の各外縁部において互いに連結されている。
【００２２】
空気流入口２において、基幹閉鎖部５ｂを分離するための基準破断位置７ｂは、空気流入口２とグリップ部分４ｂの間における基準破断位置６ｂよりも強く、かつグリップ部分４ｂと円筒状基体１間における基準破断位置１１よりも強く、そしてさらに、吸入開口３において、基幹閉鎖部５ａを分離するための基準破断位置７ａは、吸入開口３とグリップ部分４ａの間における基準破断位置６ａよりも強く、かつグリップ部分４ａと円筒状基体１間における基幹閉鎖部５ａは基準破断位置１０よりも強いので、基幹閉鎖部５ａが誤って開いてしまうことはない。
【００２３】
さらに、グリップ部分４ｂと円筒状基体１間の基準破断位置１１が、グリップ部分８の外縁部における基準破断位置よりも強く、かつ空気流入口２のグリップ部分４ｂと相対している円筒状基体１の外縁部における基準破断位置９よりも強いことにより、グリップ部分４ｂを誤って開放することと、その結果基幹閉鎖部５ｂの安定化が危険な状態になることは回避される。
【００２４】
空気案内ユニットが収容できる量の乾燥粉末を吸入できるように、これらの粉末は空気流入口２と吸入開口３にあり、同時に基準破断位置７ａと７ｂを介して連結される基幹閉鎖部５ａと５ｂは、グリップ部分４ａと４ｂにより分離され、この場合、これらのグリップ部分は対応する基準破断位置６ａ，６ｂ，１０と１１を破って開けることにより、円筒状基体から完全に取り除くことができ、したがって、吸入器はついに使用準備のできた状態にすることができる。その結果、吸入器の吸入開口３を口にもってきて、空気を吸引するかあるいは吸入することができる。空気流入口２を介して流入されるべき空気を摂取する際、記載された円筒状基体１の特別な実施形態を介して、流過する空気を特別な方法で循環させることにより、作用剤と混合される乾燥粉末の粒子は理想的に分散される。吸入開口３と空気流入口２が同じ方向で、すなわち上方に整向していて、かつ患者が吸入の際に頭をもはや９０°以上傾けることがないことにより、乾燥粉末が意図せず漏出することはありえない。
【図面の簡単な説明】
【００２５】
【図１】考えうるマガジン体の配置における吸入器である。
【図２】円筒状基体の形の個々の空気案内ユニットである。
【符号の説明】
【００２６】
１    円筒状基体
１ａ  球冠状窪み
１ｂ  球冠状窪み
２    空気流入口
３    吸入開口
４ａ  グリップ部分
４ｂ  グリップ部分
５ａ  基幹閉鎖部
５ｂ  基幹閉鎖部
６ａ  基準破断位置
６ｂ  基準破断位置
７ａ  基準破断位置
７ｂ  基準破断位置
８    基準破断位置
９    基準破断位置
１０  基準破断位置
１１  基準破断位置
【図１】
2005511159.tif 000003
【図２】
2005511159.tif 000004
【手続補正書】
【提出日】平成15年12月1日(2003.12.1)
【手続補正１】
【補正対象書類名】特許請求の範囲
【補正対象項目名】全文
【補正方法】変更
【補正の内容】
【特許請求の範囲】
【請求項１】
基本的に円筒形の本体から成る空気案内ユニットを備え、この場合前記空気案内ユニットが狭隘部（１ａ，１ｂ）と各々後に続く拡大部とを交互に備えた流動路を有しており、かつ前記狭隘部と拡大部とが、連続的に互いの中へ移行しており、従って流動路が三次元的に蛇行した形状を有している様式の呼吸方式により制御される吸入器において、
少なくとも互いにマガジン体のように連結された二つの円筒状基体（１）が空気案内ユニットとして設けられており、この場合円筒状基体（１）が基準破断位置（８と９）を介して、間接的かあるいは直接的に互いに連結されていること、
各円筒状基体（１）に、同方向に整向されていてかつ移送状態では各々基幹閉鎖部（５ａと５ｂ）により封止されている空気入口（２）と吸入開口（３）とを備えていること、
および円筒状基体（１）が目的に合った量の乾燥粉末で充填されていることを特徴とする吸入器。
【請求項２】
基幹閉鎖部（５ａと５ｂ）が、空気流入口（２）および吸入開口（３）と、基準破断位置（７ａと７ｂ）を介して連結されていることを特徴とする請求項１記載の吸入器。
【請求項３】
基幹閉鎖部（５ａと５ｂ）が、各々一つの平坦なグリップ部分（４ａと４ｂ）と固く連結されていることを特徴とする請求項１または２に記載の吸入器。
【請求項４】
グリップ部分（４ａと４ｂ）が、マガジン体の対称面内に設けられていることを特徴とする請求項３記載の吸入器。
【請求項５】
空気流入口（２）が、その空気流入口（２）の輪郭線に対応するグリップ部分（４ｂ）の凹部内にあって、このグリップ部分（４ｂ）と基準破断位置（６ｂ）を介して連結されており、その上さらに、連結部がグリップ部分と円筒状基体間において基準破断位置（１１）の様式から成ることを特徴とする請求項１〜４のいずれか一つに記載の吸入器。
【請求項６】
吸入開口（３）が、その吸入開口（３）の輪郭線に対応するグリップ部分（４ａ）の凹所内にあって、グリップ部分（４ａ）と基準破断位置（６ａ）を介して連結されており、その上さらに、連結部がグリップ部分（４）と円筒状基体（１）の間において基準破断位置（１０）の様式から成ることを特徴とする請求項１〜４のいずれか一つに記載の吸入器。
【請求項７】
円筒状基体（１）が対でマガジン体様の配設部の内部に設けられており，この場合円筒状基体（１）が基準破断位置（８）を介して空気流入口（２）のグリップ部分（４ｂ）の外縁部において互いに連結されていることを特徴とする請求項１記載の吸入器。
【請求項８】
前記円筒状基体対が基準破断位置（９）を介して、各々空気流入口（２）のグリップ部分（４ｂ）と相対している円筒状基体（１）の外縁部において互いに連結されていることを特徴とする請求項７記載の吸入器。
【請求項９】
空気流入口（２）において、基幹閉鎖部（５ｂ）を分離するための基準破断位置（７ｂ）が、グリップ部分と円筒状基体間における基準破断位置（６ｂ）よりも強く、かつ空気流入口とグリップ部分の間における基準破断位置（１１）よりも強いことを特徴とする請求項２記載の吸入器。
【請求項１０】
吸入開口（３）において、基幹閉鎖部（５ａ）を分離するための基準破断位置（７ａ）が、グリップ部分と円筒状基体間における基準破断位置（６ａ）よりも強く、かつ吸入開口とグリップ部分の間における基準破断位置（１０）よりも強いことを特徴とする請求項２記載の吸入器。
【請求項１１】
グリップ部分（４ｂ）と円筒状基体（１）間の基準破断位置（１１）が、グリップ部分（８）の外縁部における基準破断位置よりも強く、かつ空気流入口（２）のグリップ部分（４ｂ）に相対している円筒状基体（１）の外縁部における基準破断位置（９）よりも強いことを特徴とする請求項９または１０に記載の吸入器。
【手続補正２】
【補正対象書類名】明細書
【補正対象項目名】全文
【補正方法】変更
【補正の内容】
【発明の詳細な説明】
【技術分野】
【０００１】
本発明は、基本的に円筒状基体から成る空気案内ユニットを備え、この場合前記空気案内ユニットが狭隘部と各々後に続く拡張部とを交互に備えた流路を有しており、かつ前記狭隘部と拡張部が、連続的に互いの中へ移行しており、従って流路が三次元的に蛇行した形状を有している様式の、乾燥粉末用の呼吸方式により制御される吸入器に関する。
【０００２】
穏やかな治療法として吸入をすることは、今日、とりわけ気道疾患の領域内においてか、あるいは簡単でかつ速やかに作用する医薬品を投与することに関して大きな意味を持つ。その際、例えば薬と共に使用される乾燥粉末が良質の噴霧状態で、患者の気道に供給される。さらに、吸入している間、乾燥粉末を完全かつ均一に分散させることを保証するという前提条件と並んで、特に吸入器が即座に使用でき、かつ患者にとって扱い易いことが重要である。特許文献１から、特殊な吸入ケーシング内において、流れを阻害する単純な円筒状基体の構造により、乾燥粉末を対応して分散させることができる装置が公知である。ただし、この発明の場合に使用される空気案内ユニットは、円筒状基体の形のケーシングにより囲まれており、かつ柔軟に交換をすることはできない。さらに、乾燥粉末を特殊な貯蔵室へ供給しなければならず、まずそこから空気案内ユニット内に達する。乾燥粉末を確実に投与することを保証し、かつ乾燥粉末が湿気を全く受け付けないことを確実にするためには、技術的に相当な費用が必要である。
【０００３】
特許文献２から、粉末状の医薬品を呼吸用空気を用いて吸い込むことにより吸入可能なディスペンサシステムが明らかになっている。このディスペンサは多数の個別部品、特に円筒状本体から成り、この円筒状本体は軸方向への力の作用により取り外し可能な閉鎖部を備えており、かつ吸入開口と空気流入口とを備えている。ディスペンサにより引き込まれる空気の十分な渦流を得るために、空気入口内にタービンが設けられている。さらに、吸入開口においては、大きな粒子を吸入することを防ぐ格子が設けられている。
【０００４】
このようなディスペンサは複雑な構造を有しており，このような複雑な構造によりディスペンサは高価でかつ使用するのが煩雑になる。さらに、二つあるいは多数のディスペンサはマガジン体のように互いに連結することはできない。さらに、粉末がすべて空気中に均一に分散されて吸入されることが可能であることの前提条件である、ディスペンサにより吸入される空気の十分な渦流は期待できない。
【０００５】
特許文献３には空気の出入り口を定義するための管状体を有する吸入器が示されており，
この吸入器は封隙キャップを備え、かつ粉末で充填されている。この空気の出入り口はその切断面が、長方形や正方形や多角形や楕円形やあるいは円形だったりする。この場合、吸入口における断面積は、相対している終端部の断面積よりも小さい。さらに、解剖学上の性状に適応させることができるように、曲がり可能な区間が設けられている。吸入時に粒子を分散させるために、吸入器は空気の循環を発生させるための手段を備えている。この手段は管状体の内壁におけるらせん状に走る凹部あるいはリブである。この吸入器は簡単な実施形態にあっては、特に簡単に構成されているが、ここでは空気の十分な渦流は全く得られない。
【０００６】
このように医療装置を常に待機状態にしておくことは大いに意味があるので、技術的な構成を単純化することにより、故障の危険を最小限にすることを常にやってみなければならない。
【特許文献１】ドイツ国特許出願第１９９４８２８９．６号明細書
【特許文献２】米国特許第５５６２９１８号明細書
【特許文献３】国際特許第９６２２８０２号明細書
【発明の開示】
【発明が解決しようとする課題】
【０００７】
本発明の根底をなす課題は、即座の使用準備状態により瞬時のアクセスを可能にし、かつ構造上の理由から装置部材の数が減ることにより、吸入前と吸入中と吸入後の患者の操作手順を最低限にし、この際、同様に構造上の理由から故障の危険をほとんど排除する吸入器を提供することである。
【課題を解決するための手段】
【０００８】
上記の課題は、冒頭で述べた様式の呼吸制御の吸入装置から出発して、本発明に従い、
少なくとも互いにマガジン体のように連結された二つの円筒状基体（１）が空気案内ユニットとして設けられており、この場合円筒状基体（１）が基準破断位置（８と９）を介して、間接的かあるいは直接的に互いに連結されていること、
各円筒状基体（１）に、同方向に整向されていてかつ移送状態では各々基幹閉鎖部（５ａ，５ｂ）により封止されている空気入口（２）と吸入開口（３）とを備えていること、
および円筒状基体（１）が目的に合った量の乾燥粉末で充填されていることにより解決される。
【０００９】
本発明による記載された様式の装置を用いて、患者にとってはきわめて経済的でかつただちに使用できる、目的に合った作用剤を必要に応じて吸入できる可能性が得られ、この場合、吸入器は故障の危険にさらされることはない。なぜなら、わずかに活性剤はすでに貯蔵されかつ互いに開放されるべき空気案内ユニット内にあり、そしてさらに吸入器それ自体が上述の方法で技術的に最小化されるからである。その上さらに本発明による装置は、可動な部材がまったくなくても間に合っており、従ってコスト的にきわめて安価で組立てることができ、かつ使い捨て商品として使用することができる。さらに、これにより湿気の混入は確実に阻止される。
【００１０】
基幹閉鎖部を介して吸入器を封隙することにより、すでに空気案内ユニット内に存在する作用剤、すなわち乾燥粉末の所定の量だけは常に使用されることが保証される。
【００１１】
これらの基幹閉鎖部は、本発明の実施形態に従い、予めプレスされた基準破断位置を介して確実に取り外し可能である。
【００１２】
その上さらに本発明の実施形態では、各々の基幹閉鎖部が平坦で幾何学的なグリップ部分と固く連結されている。この場合にグリップ部分は基幹閉鎖部を取り外す際のハンドリングに役立つ。
【００１３】
その他の実施形態によれば、空気流入口と吸入開口が、それらの輪郭線に対応する各々のグリップ部分の凹部内にあって、グリップ部分と基準破断位置を介して連結されている。この場合、グリップ部分がマガジン体の対称面内に設けられており、基準破断位置は各々のグリップ部分と円筒状基体との間に設けられている。
【００１４】
これらの実施形態において、グリップ部分には、基準破断位置を介して間接的かあるいは直接的に連結された個々の円筒状基体間において幾何学的に対称的な連結装置の機能が付加的に与えられている。さらにこの機能は基幹閉鎖部の完全な状態を安定化させる。
【００１５】
前述の方法で設けられた基準破断位置により、円筒状基体をまずお互いから取り外し、引き続いて吸入開口と空気流入口をグリップ部分から完全に外すことができる。
【００１６】
本発明の別の実施形態の場合、円筒状基体が対でマガジン体内部において設けられており、この場合円筒状基体は対内部で基準破断位置を介して空気流入口のグリップ部分の外縁部において互いに連結されている。
【００１７】
さらに、前記円筒状基体対が再度基準破断位置を介して、空気流入口のグリップ部分と相対している円筒状基体の外縁部において互いに連結されている。マガジン内部において円筒状基体がこのように選択的に設けられると、特に連結のバリエーションが有利であり、このバリエーションは高い安定性により際立ち、製造工程内においては、乾燥粉末と引き続く連結工程および封隙工程により円筒状基体の充填に役立っている。別の配設のバリエーションも可能である。
【００１８】
本発明の特に有利な実施形態においては、空気流入口において、基幹閉鎖部を分離するための基準破断位置が、グリップ部分と円筒状基体間における基準破断位置よりも強く、かつ空気流入口とグリップ部分における基準破断位置よりも強い。さらに、吸入開口において、基幹閉鎖部を分離するための基準破断位置が、グリップ部分と円筒状基体間における基準破断位置よりも強く、かつ吸入開口とグリップ部分の間における基準破断位置よりも強い。
【００１９】
それにより、基幹閉鎖部が誤って開くことはない。
【００２０】
最後に、別の有利な実施形態においては、グリップ部分と円筒状基体間の基準破断位置がグリップ部分の外縁部における基準破断位置よりも強く、かつ空気流入口のグリップ部分に相対している円筒状基体の外縁部における基準破断位置よりも強い。これにより、マガジン体から個々の空気案内ユニットを取り外すことにより、グリップ部分が円筒状基体から部分的かあるいは完全に取り外される状態になること、さらに基幹閉鎖部はグリップ部分により得られるその安定性において危険にさらされることは回避される。
【発明を実施するための最良の形態】
【００２１】
本発明を実施例を用いて以下に詳しく説明する。
【実施例】
【００２２】
本発明による吸入器は、鎖を形成するように連結されている複数の円筒状基体１から成る。これらの円筒状基体１は空気案内ユニットとして構成されており、この場合前記空気案内ユニットは狭隘部と各々後に続く拡大部とを交互に備えた流動路を有しており、かつ前記狭隘部と拡大部とは、連続的に互いの中へ移行し、そして空気案内ユニットを流過する空気のための流動路が、三次元的に蛇行した形状で形成されている。円筒状基体１はこの目的のために球冠状の窪み１ａと１ｂを備えており、これらの窪みは各々円筒状基体１と相対している壁から流動路に延在している。
【００２３】
患者はマガジン体が必要な場合、医薬品と混合された乾燥粉末に予め割り当てられた量の医薬品かあるいは乾燥粉末の形の医薬品を備えた個々の空気案内ユニットを取り出すことができる。円筒状基体１の形の個々の空気案内ユニットは、直接的かあるいは平坦なグリップ部分４ｂを介して、予めプレスで作られた基準破断位置８と９により間接的に互いに連結されており、従って所望の空気案内ユニットはマガジン体から破り取ることができる。
【００２４】
その際、本吸入器の輸送に必要な強度に関して、円筒状基体１はマガジン体内部で対で設けられているように配置されることがわかっており、この場合、円筒状基体１は対内部で空気流入口２のグリップ部分４ｂの外縁部で互いに連結されている。これらの対は、これら対の側で再度、基準破断位置９を介して、各々空気流入口２のグリップ部分４ｂと相対している円筒状基体１の各外縁部において互いに連結されている。
【００２５】
空気流入口２において、基幹閉鎖部５ｂを分離するための基準破断位置７ｂは、空気流入口２とグリップ部分４ｂの間における基準破断位置６ｂよりも強く、かつグリップ部分４ｂと円筒状基体１間における基準破断位置１１よりも強く、そしてさらに、吸入開口３において、基幹閉鎖部５ａを分離するための基準破断位置７ａは、吸入開口３とグリップ部分４ａの間における基準破断位置６ａよりも強く、かつグリップ部分４ａと円筒状基体１間における基幹閉鎖部５ａは基準破断位置１０よりも強いので、基幹閉鎖部５ａが誤って開いてしまうことはない。
【００２６】
さらに、グリップ部分４ｂと円筒状基体１間の基準破断位置１１が、グリップ部分８の外縁部における基準破断位置よりも強く、かつ空気流入口２のグリップ部分４ｂと相対している円筒状基体１の外縁部における基準破断位置９よりも強いことにより、グリップ部分４ｂを誤って開放することと、その結果基幹閉鎖部５ｂの安定化が危険な状態になることは回避される。
【００２７】
空気案内ユニットが収容できる量の乾燥粉末を吸入できるように、これらの粉末は空気流入口２と吸入開口３にあり、同時に基準破断位置７ａと７ｂを介して連結される基幹閉鎖部５ａと５ｂは、グリップ部分４ａと４ｂにより分離され、この場合、これらのグリップ部分は対応する基準破断位置６ａ，６ｂ，１０と１１を破って開けることにより、円筒状基体から完全に取り除くことができ、したがって、吸入器はついに使用準備のできた状態にすることができる。その結果、吸入器の吸入開口３を口にもってきて、空気を吸引するかあるいは吸入することができる。空気流入口２を介して流入されるべき空気を摂取する際、記載された円筒状基体１の特別な実施形態を介して、流過する空気を特別な方法で循環させることにより、作用剤と混合される乾燥粉末の粒子は理想的に分散される。吸入開口３と空気流入口２が同じ方向で、すなわち上方に整向していて、かつ患者が吸入の際に頭をもはや９０°以上傾けることがないことにより、乾燥粉末が意図せず漏出することはありえない。
【図面の簡単な説明】
【００２８】
【図１】考えうるマガジン体の配置における吸入器である。
【図２】円筒状基体の形の個々の空気案内ユニットである。
【符号の説明】
【００２９】
１    円筒状基体
１ａ  球冠状窪み
１ｂ  球冠状窪み
２    空気流入口
３    吸入開口
４ａ  グリップ部分
４ｂ  グリップ部分
５ａ  基幹閉鎖部
５ｂ  基幹閉鎖部
６ａ  基準破断位置
６ｂ  基準破断位置
７ａ  基準破断位置
７ｂ  基準破断位置
８    基準破断位置
９    基準破断位置
１０  基準破断位置
１１  基準破断位置
【国際調査報告】
2005511159.tif 000005
2005511159.tif 000006
2005511159.tif 000007
2005511159.tif 000008
2005511159.tif 000009
2005511159.tif 000010
2005511159.tif 000011
2005511159.tif 000012